【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  
少なくとも１つの可動コンタクトを有する中電圧または高電圧用の開閉機を高速操作するための駆動装置であって、
駆動装置（２００）は、少なくとも１つの可動コンタクト（２０３，３０３）と電気エネルギー供給ユニットとに機能的に接続される電動モータ（２０１，３０２）を具備し、
駆動装置が、さらに制御ユニット（２０５）を具備することと、駆動サイクルが、電気エネルギーを機械エネルギーに変換することで可動コンタクトを加速する第１の部分と、エネルギー供給ユニット（２０４）に蓄積するために機械エネルギーを電気エネルギーに変換することで可動コンタクトを減速する第２の部分とを含むこととを特徴とする駆動装置。
【請求項２】  
第１の部分と第２の部分との間の動作は、可動コンタクト（２０３，３０３）が慣性力によって当該動作を継続しつづける中間部分を含むことを特徴とする請求項１に記載の装置。
【請求項３】
前記電動モータ（２０１，３０２）は、誘導型の交流モータ、同期型の交流モータ、直流モータ、交流永久磁石モータ、直流永久磁石モータ、ステップモータの内のいずれかであることを特徴とする請求項１または２に記載の装置。
【請求項４】  
前記電動モータ（２０１，３０２）は前記少なくとも１つの可動コンタクト（２０３，３０３）に機械的な連結機構（２０２，３０１）を介して機能的に接続されていることを特徴とする請求項１ないし３のいずれかに記載の装置。
【請求項５】  
機械的な連結機構（２０２，３０１）はギヤ装置を有することを特徴とする請求項４に記載の装置。
【請求項６】
前記エネルギー蓄積またはエネルギー供給ユニット（２０４）は、ネットワーク、バッテリ、一連のキャパシタ、一連のスーパーキャパシタの内のいずれかであることを特徴とする請求項１ないし５のいずれかに記載の装置。
【請求項７】  
電動モータ（２０１，３０２）が当該制御ユニット（２０５）からの制御信号（２０８）を受けて前記少なくとも１つの可動コンタクト（２０３，３０３）を操作することを特徴とする請求項１ないし６のいずれかに記載の装置。
【請求項８】  
前記駆動装置は、電気ネットワークの状態に関する情報（２１０）またはオペレータからの情報（２０９）を制御ユニット（２０５）に伝達する手段を具備することを特徴とする請求項７に記載の装置。
【請求項９】  
前記制御ユニット（２０５）はデータ格納手段とデータ処理手段を具備することを特徴とする請求項１ないし８のいずれかに記載の装置。
【請求項１０】  
前記データ格納手段には複数の運動特性が記憶されており、開閉時には、電力ネットワークの状態に関する情報（２１０）に基づいてデータ処理手段が適切な運動特性を選択することを特徴とする請求項９に記載の装置。
【請求項１１】
電動モータ（２０１，３０２）の位置、加速度、トルク及び／または角速度に関する情報が第１のフィードバックループ（２０８）を介して制御ユニット（２０５）に伝達されることを特徴とする請求項９に記載の装置。
【請求項１２】  
可動コンタクト（２０２）の位置、加速度、及び／または速度に関する情報が第２のフィードバックループ（２０７）を介して制御ユニット（２０５）に伝達されることを特徴とする請求項９又は１１に記載の装置。
【請求項１３】  電動モータの角速度が、開閉操作を通じて、データ処理手段に設けられたアルゴリズムによって連続的に制御され、当該アルゴリズムへの入力は、
電力ネットワークの状態またはオペレータからの情報（２０９）に関する情報（２１０）、
第１のフィードバックループ（２０６）を介して制御ユニット（２０５）に伝達される電動モータ（２０１，３０２）の位置、加速度、トルク及び／または角速度に関する情報、
第２のフィードバックループ（２０７）を介して制御ユニット（２０５）に伝達される可動コンタクト（２０２）の位置、加速度及び／または速度に関する情報、
の内のいずれかであることを特徴とする請求項１２に記載の装置。
【請求項１４】  
電動モータ（２０１，３０２）は０．０５から０．７５Ｎ／ｍｍ２の範囲の表面力密度を発生させることを特徴とする請求項１ないし１３のいずれかに記載の装置。
【請求項１５】
電動モータ（２０１，３０２）は、５００から１５０００Ａ／ｃｍの範囲の電流シート密度を有することを特徴とする請求項１ないし１４のいずれかに記載の装置。
【請求項１６】  
電動モータ（２０１，３０２）の接極子の巻き線の電流密度は５０から２００Ａ／ｍｍ２を超えることを特徴とする請求項１ないし１５のいずれかに記載の装置。
【請求項１７】
少なくとも１つの可動コンタクトとエネルギー供給ユニット（２０４）との機能的な接続で、少なくとも１つの可動コンタクト（２０３，３０３）と、電動モータ（２０１，３０２）を含む駆動装置（２００）とを有する中電圧または高電圧開閉機の高速開閉動作を行う方法であって、
電気エネルギーを機械エネルギーに変換することで、第１の部分の動作に基づき可動コンタクトを加速させ、
機械エネルギーを電気エネルギーに変換することで、第２の部分の動作に基づき可動コンタクトを減速させ、
変換された電気エネルギーをエネルギー供給ユニットに蓄積することを特徴とする方法。
【請求項１８】
可動コンタクトの動作は、加速部分及び減速部分に加えて、可動コンタクト（２０３，３０３）が慣性力によって当該動作を継続する中間部分を有することを特徴とする請求項１７に記載の方法。
【請求項１９】
高電圧または中電圧送電または配電ネットワークにおける、請求項１ないし１６のいずれかに記載の開閉機の使用、または、請求項１７又は１８に記載の方法の使用。
【手続補正２】
【補正対象書類名】明細書
【補正対象項目名】００２０
【補正方法】変更
【補正の内容】
【００２０】
以下の記載によってより明瞭になる上述の目的やそれ以外の目的を達成するために、本発明は、中電圧又は高電圧用の開閉装置のための、少なくとも１つの可動コンタクトを有する駆動装置であって、可動コンタクトと機能的に接続された少なくとも１つの電気的回転機を具備する装置を提供する。「機能的に接続された」とは、電動モータが中間に、機械的なスプリングのようなエネルギー保存装置を介さずに可動コンタクトと接続されていることを意味する。
【手続補正３】
【補正対象書類名】明細書
【補正対象項目名】００２３
【補正方法】変更
【補正の内容】
【００２３】
本発明の１つの実施例に拠れば、電動モータは適切な伝達比のギヤを有する機械的な連結機構を介して可動コンタクトと機能的に接続されている。この種の接続を使用することによって、開閉毎に電動モータを複数回回転させることによって、回転運動をアクチュエータのトルクに変換することができる。ギア装置を使用して回転運動を低速化することで、アクチュエータに必要なトルクを低減することができ、アクチュエータのサイズとコストを低減することができる。もちろん、電動モータを使用して、例えば、電動モータを１回転の一部だけ動かすことによって、可動コンタクトを１回転の一部だけ動かすこともできる。
【手続補正４】
【補正対象書類名】明細書
【補正対象項目名】００３５
【補正方法】変更
【補正の内容】
【００３５】
発明の詳細な説明
本発明に基づく駆動装置の２１つの実施例のブロック図を図２に示す。駆動装置２００は、機械的な連結機構２０２を介して開閉装置の可動コンタクト２０３と機能的に接続された電動モータ２０１を具備する。機械的な連結機構２０２は、電動モータ２０１の回転運動を可動コンタクト２０３の平行運動に変換する。機械的連結機構２０２は、電動モータの回転運動を適切なギヤ比で低速化するギヤ装置を有する。電動モータにはエネルギー供給ユニット２０４から制御ユニット２０５を介してエネルギーが供給される。エネルギー供給ユニットはネットワーク、バッテリ、キャパシタ、スーパーキャパシタあるいはそれ以外のエネルギー供給装置である。制御ユニット２０５は、データ処理手段とデータ記憶手段を有して、制御電流２０８を電動モータ２０１に送ることによってこれを制御する。駆動装置は、電気ネットワークの状態に関する情報２１０、例えば、装置変換器や操作員からの指示２０９のような情報を制御ユニットに送る手段を有する。電動モータの位置、加速度、トルクおよび／または角速度に関する情報２０１は、第１のフィードバックループ２０６を介して制御ユニット２０５に送られる。同様に、可動コンタクト２０３および／または機械的連結機構の位置、加速度および／または速度に関する情報が第２のフィードバックループ２０７を介して制御ユニット２０５に送られる。